(57)【特許請求の範囲】
【請求項１】
籾ホッパ（１９）の籾をホッパ口（５５）から供給筒（２４）を経て翼車室（１）へ供給し、
翼車室（１）の投穀翼車（２）の回転により脱ぷする脱ぷ米を揚穀筒部（３）を経て拡散室（４）の拡散板（５）に当てて拡散しながら風選作用を受けさせる籾摺機において、
拡散板（５）を拡散室（４）の前上部に拡散板面を後下り勾配に傾斜させて形成し、拡散板（５）上方の拡散室（４）壁部（８）に開口部（６）を形成し、この開口部（６）にのぞませる前記揚穀筒部（３）先端の案内筒（７）を着脱可能に設け、拡散板（５）の側部近傍の拡散室（４）壁部（８）に点検用開口部（９）を設け、点検用開口部（９）を開閉する蓋（４９）を設け、拡散板（５）は、左右両端部に拡散室（４）壁部（８）に対して着脱可能な取付ブラケット（４６）を有した拡散板取付体（４７）の中央部に取付け、
拡散室（４）の上部に籾ホッパ（１９）を設け、拡散室（４）の一側方に供給筒（２４）を設け、拡散室（４）の他側の壁部（８）に点検用開口部（９）を形成し、拡散室（４）の前方に揚穀筒部（３）を上昇して設け、ホッパ口（５５）の前側の近傍位置に前記開口部（６）を形成することを特徴とする籾摺機。
【発明の詳細な説明】
【技術分野】
【０００１】
この発明は、投穀翼車の回転によって籾を投げて衝撃させながら脱ぷ作用を行わせる共に、この脱ぷ米を選別部の拡散室へ揚穀するインペラ形態の籾摺機に関する。
【背景技術】
【０００２】
投穀翼車の回転による衝撃形態の脱ぷ装置は周知の技術（例えば、特許文献１参照）である。
【特許文献１】特開２００１ー２５２５７７号公報（第３頁、図１）。
【発明の開示】
【発明が解決しようとする課題】
【０００３】
投穀翼車によるインペラ形態の籾摺機では、この投穀翼車を有した翼車室に連設の揚穀筒部に案内させて拡散室へ揚穀させるが、拡散室内部のメンテナンス性について改良の余地がある。
【課題を解決するための手段】
【０００４】
請求項１に記載の発明は、籾ホッパ（１９）の籾をホッパ口（５５）から供給筒（２４）を経て翼車室（１）へ供給し、
翼車室（１）の投穀翼車（２）の回転により脱ぷする脱ぷ米を揚穀筒部（３）を経て拡散室（４）の拡散板（５）に当てて拡散しながら風選作用を受けさせる籾摺機において、
拡散板（５）を拡散室（４）の前上部に拡散板面を後下り勾配に傾斜させて形成し、拡散板（５）上方の拡散室（４）壁部（８）に開口部（６）を形成し、この開口部（６）にのぞませる前記揚穀筒部（３）先端の案内筒（７）を着脱可能に設け、拡散板（５）の側部近傍の拡散室（４）壁部（８）に点検用開口部（９）を設け、点検用開口部（９）を開閉する蓋（４９）を設け、拡散板（５）は、左右両端部に拡散室（４）壁部（８）に対して着脱可能な取付ブラケット（４６）を有した拡散板取付体（４７）の中央部に取付け、
拡散室（４）の上部に籾ホッパ（１９）を設け、拡散室（４）の一側方に供給筒（２４）を設け、拡散室（４）の他側の壁部（８）に点検用開口部（９）を形成し、拡散室（４）の前方に揚穀筒部（３）を上昇して設け、ホッパ口（５５）の前側の近傍位置に前記開口部（６）を形成することを特徴とする。
【発明の効果】
【０００５】
請求項１に記載の発明は、籾ホッパ（１９）の籾をホッパ口（５５）から供給筒（２４）を経て翼車室（１）へ供給し、
翼車室（１）の投穀翼車（２）の回転により脱ぷする脱ぷ米を揚穀筒部（３）を経て拡散室（４）の拡散板（５）に当てて拡散しながら風選作用を受けさせる籾摺機において、
拡散板（５）を拡散室（４）の前上部に拡散板面を後下り勾配に傾斜させて形成し、拡散板（５）上方の拡散室（４）壁部（８）に開口部（６）を形成し、この開口部（６）にのぞませる前記揚穀筒部（３）先端の案内筒（７）を着脱可能に設け、拡散板（５）の側部近傍の拡散室（４）壁部（８）に点検用開口部（９）を設け、点検用開口部（９）を開閉する蓋（４９）を設け、拡散板（５）は、左右両端部に拡散室（４）壁部（８）に対して着脱可能な取付ブラケット（４６）を有した拡散板取付体（４７）の中央部に取付け、
拡散室（４）の上部に籾ホッパ（１９）を設け、拡散室（４）の一側方に供給筒（２４）を設け、拡散室（４）の他側の壁部（８）に点検用開口部（９）を形成し、拡散室（４）の前方に揚穀筒部（３）を上昇して設け、ホッパ口（５５）の前側の近傍位置に前記開口部（６）を形成することで、
投穀翼車２の回転によって籾が翼車室１壁面に投げつける衝撃力により脱ぷされると共に、この脱ぷされた脱ぷ米が、この翼車室１に連設の揚穀筒部３を揚穀案内されて、拡散室４上部の案内筒７部から拡散板５に当てられて、拡散室４内に拡散させ、風選作用を受けさせ易くする。この拡散室４の上側の開口部６には案内筒７が取付けられて、揚穀筒部３を連結させるため、この案内筒７を取外すことによって開口部６を開くことができ、この直下の拡散室４内の拡散板５のメンテナンスを行い易くすることができる。
【０００６】
また、この拡散室４の拡散板５の側方部の壁部８に点検用開口部９を設けるため、拡散室４内や拡散板５等の状況を監視し易く、前記上部の開口部６から、乃至この点検用開口部からの内部掃除や、点検等を行い易くすることができる。
【０００７】
また、この点検用開口部９の蓋４９を開閉することによって拡散板５の着脱や、他のメンテナンス操作を行い易くすることができる。
【発明を実施するための最良の形態】
【０００８】
図例に基づいて、籾摺機は、方形状箱形の機枠１０の前端部に脱ぷ装置１１を設け、この後側に風選装置１２、選別装置１３等を配置し、後側に玄米取出昇穀機１４等を設ける。脱ぷ装置１１は、翼車室１内で投穀翼車２を回転させて、この翼車２の回転によって放出する籾を翼車室１内周の脱ぷ面１５に衝突させることによって脱ぷするインペラ形態の構成としている。この翼車室１の前側には上方接線方向に揚穀筒部３を設け、この揚穀筒部３を機枠１０、及び拡散室４の前面に沿って上昇するように構成し、上端揚穀口１６を、拡散室４上の案内筒７に連結する。この翼車室１内には、投穀翼車２を軸１７に取り付け、モータ１８によって駆動回転する。前記風選装置１２の上側に拡散室４を配置し、この拡散室４上に搭載の籾ホッパー１９に供給した籾を、シャッタレバー２０の操作で開度調節されるシャッター２１の開き、及び切替レバー２２の操作で開かれる切替弁２３の開きによって、供給筒２４を流下させて、前記翼車室１の翼車軸１７の位置する翼車回転中心部２５へ供給し、投穀翼車２へ供給することができる。この投穀翼車２には放射状方向に形成の投穀通路が形成されて、回転による遠心作用によって供給される籾を外周の脱ぷ面１５へ投出させ脱ぷさせるものである。
【０００９】
前記籾ホッパー１９の後側には選別装置１３等側から還元揚穀機２６によって還元される還元米を収容する還元ホッパー２７を設け、この還元ホッパー２７の還元された混合米を再度投穀翼車２へ供給して脱ぷ可能に構成している。前記切替弁２３は、籾ホッパー１９に供給される籾を投穀翼車２へ供給し、麦のように脱ぷを要しない場合は、直接下側の風選装置１２内へ落下供給して風選させるように切替供給する。投穀翼車２を有する翼車室１は風選室１２の横外側部に装着するが、この供給筒２４の下半部はこの風選装置１２の機枠１０内側に位置して配置している。
【００１０】
前記拡散室４の底部には流穀板２８、２９等を階段状に設けて、流穀しながら風選室１２に脱ぷ米を供給する形態としている。この拡散室４の前上部に拡散板５を幅広くして、拡散板５面を後下り勾配に傾斜させて、左右の拡散室４壁部８間に設けている。この拡散板５の直上に位置して開口部６を形成して、上側から案内筒７を嵌合させて取付けることができる。この案内筒７は台形箱状に形成して前端の開口部を前記揚穀筒部３の揚穀口１６と連結してボルト締め等によって固定可能に構成している。揚穀筒３を脱ぷ揚穀された脱ぷ米を案内筒７に案内させて、開口部６から拡散板４面に当てられると、拡散室４幅に拡散されて複数段の流穀板２８、２９上を流下する。
【００１１】
なお、流下始端側の流穀板２８と流下途中の流穀板２９との傾斜角度を比較すると、流穀板２８が流穀板２９よりも傾斜角度が急に形成している。すなわち、流下始端部は傾斜角度を急にして脱ぷ米が滞留するのを防止すると共に、流下途中の流穀板２９で脱ぷ米の流下速度を抑制気味にしてから風選室１２に供給することで風選室１２での風選効果を向上させようとしている。
【００１２】
前記流穀板２８、２９の下側にモータ１８を搭載のモータ室３１を設け、これら拡散室４、及びモータ室３１の後側に配置の風選装置１２の風選室３２を形成し、この後側に多段揺動選板３３を揺動自在に架設の選別装置１３の選別室３４を構成している。該風選室３２の上部には吸引風路３５を略上下方向に設け、この下側にシイナ受樋３６を配置し、更に最底部に混合米受樋３７を配置し、揺動選別板３３で脱ぷ米を揺動選別して玄米と、籾と、これらの混合状態にある混合米とに分別流出されるが、この玄米は流穀板３８を介して後端の玄米昇穀機１４へ流入し、未脱ぷの籾は籾受樋３６へ流入させて還元揚穀機２６へ還元し、又混合米を混合米受樋３７へ流入するように構成している。この混合米受樋３７は、横端を風選室３５の横側に配置の脱ぷ米昇穀機３９の底部供給口へ連通させて、前記拡散室４で流下風選される脱ぷ米と揺動選別板３３側から流下される混合米とを受けて昇穀し、この揺動選別板３３上方の選別ホッパー４５へ供給する構成としている。又、この昇穀機３９の内側で風選室３２の上部には、吸引排塵機４０を設け、この吸引口４１をこの風選室３２の上端に連通すると共に、前記拡散室４に連通する吸塵風路４２、及び、風路４３を介して玄米昇穀機１４の排出口部４４等へ連通し、これら各部の吸引選別と選別排塵を行う構成としている。
【００１３】
ここにおいて、この発明に係る籾摺機の選別装置は、翼車室１の投穀翼車２の回転により脱ぷする脱ぷ米をこの揚穀筒部３を経て拡散室４の拡散板５に当てて拡散しながら風選作用を受けさせる籾摺機において、この拡散室４の拡散板５上方部に開口部６を形成し、この開口部６にのぞませる前記揚穀筒部２先端の案内筒７を着脱可能に設けたことを特徴とする選別装置の構成とする。投穀翼車２の回転によって籾が翼車室１壁面に投げつける衝撃力により脱ぷされると共に、この脱ぷされた脱ぷ米が、この翼車室１に連設の揚穀筒部３を揚穀案内されて、拡散室４上部の案内筒７部から拡散板５に当てられて、拡散室４内に拡散させ、風選作用を受けさせ易くする。この拡散室４の上側の開口部６には案内筒７が取付けられて、揚穀筒部３を連結させるため、この案内筒７を取外すことによって開口部６を開くことができ、この直下の拡散室４内の拡散板５のメンテナンスを行い易くすることができる。
【００１４】
又、前記拡散板５の側部近傍の拡散室３壁部８に点検用開口部９を設けたことを特徴とする。前記揚穀筒部３から投穀される拡散板５の磨耗状態は、この拡散室３壁部８の点検用開口部９から視認し、メンテナンスすることができる。
【００１５】
前記拡散板５は、左右両端部に拡散室４壁部８に対する取付ブラケット４６を有した拡散板取付体４７幅の中央部に取付け、このような拡散板５のアッシー部材を点検用開口部９から入れて、先端部のブラケット４６を取付ピン５０に嵌合支持させて、この一側端の取付ブラケット４６はボルト４８締めで壁部８に着脱可能に設ける。そして点検用開口部９を閉鎖する蓋４９を取り付ける構成としている。この点検用開口部９の蓋４９を開閉することによって拡散板５の着脱や、他のメンテナンス操作を行い易くする。
【００１６】
前記機枠１０のモータ室３１部上側に、このモータ室３１幅よりも狭い室幅の拡散室４を形成し、この拡散室４の前記投穀翼車２側に段差部の室棚５２を形成し、この室棚５２のモータ室３１外側壁部に前記投穀翼車２を取付け、この投穀翼車２と上部拡散室４との間の室棚５２を上下方向にわたる供給筒２４を位置させる。この供給筒２４の前側と後側に位置する室棚５２部に棚口５３を形成し、棚蓋５４で開閉可能に設ける。この棚蓋５４の開きによって選別風路３５部等の詰り等の掃除を行うことができるメンテナンスを容易化できる。
【００１７】
前記拡散室４、乃至この上部の籾ホッパー１９のホッパ口５５の横側に、前記シャッタレバー１９や、このホッパ口５５の開度を調節する調節レバー５６、及び、前記切替レバー２２等を集中配置する。籾ホッパー１９のホッパ口５５は供給筒２４を介して投穀翼車２にのぞむが、このホッパ口５５には、開閉可能のシャッター２１と、このシャッター２１の開口度を調節する調節レバー５６を設け、シャッタレバー１９はこのシャッター２１をシャッタ軸５７の周りに前後に回動することによって行う。又、調節レバー５６は、このシャッタ軸５７の外側端近において、ラック状のレバーガイド５８に沿って上下操作して、このシャッター２１の開口度を規制することができる。又、前記供給筒２４の上部には、切替弁軸５９の周りに内外へ回動する切替弁６０と、切替レバー２２を設け、この切替レバー２２の操作で、切替弁６０を外側へ回動すると、上側のホッパ口５５から流下される籾を供給筒２４を流下させて投穀翼車２へ供給し、切替弁６０を内側へ回動すると、脱ぷしないで直接散室４の下方部の流穀板２８、２９、３０上へ供給流下させるものである。このようにして、籾は投穀翼車２へ供給して脱ぷを行わせるが、前記選別装置１２から還元された還元米を再風選したり、麦粒の選別を行うような場合は、この切替弁６０を内側へ回動させて流穀板２８側へ供給するように切替操作する。
【図面の簡単な説明】
【００１８】
【図１】籾摺機の右側面から内部構成を説明する図。
【図２】籾摺機の外観の斜視図。
【図３】拡散室の斜視図。
【図４】籾摺機の正面から内部構成を説明する図。
【図５】籾摺機の右側面から内部構成を説明する図。
【図６】籾摺機の左側面から内部構成を説明する図。
【図７】拡散板のアッシーの斜視図。
【図８】拡散室部の平面図。
【符号の説明】
【００１９】
１  翼車室
２  投穀翼車
３  揚穀筒部
４  拡散室
５  拡散板
６  開口部
７  案内筒
８  壁部
９  点検用開口部
【図１】
0005141143.tif 000002
【図２】
0005141143.tif 000003
【図３】
0005141143.tif 000004
【図４】
0005141143.tif 000005
【図５】
0005141143.tif 000006
【図６】
0005141143.tif 000007
【図７】
0005141143.tif 000008
【図８】
0005141143.tif 000009